(57)【要約】【課題】配信する情報の内容やレイアウトを、情報の閲覧者や配信時期に応じて変化させることができる情報配信装置と方法並びにプログラムを得る。【解決手段】コンテンツが記憶されている第１記憶部と、コンテンツの編集規則が記憶されている第２記憶部と、閲覧者を特定する閲覧者ＩＤと編集規則を特定する編集規則ＩＤとが関連付けて記憶されている第３記憶部と、閲覧者ＩＤを含むコンテンツの送信要求を閲覧者の端末から受信する手段と、コンテンツを第１記憶部から読み出す手段と、閲覧者ＩＤと関連付けて第３記憶部に記憶されている編集規則ＩＤを読み出し、この編集規則ＩＤに対応する編集規則を第２記憶部から読み出す手段と、読み出した編集規則に基づいて読み出したコンテンツを編集する手段と、編集したコンテンツを閲覧者の端末に送信する手段と、を有してなる。【選択図】図１１
2007328733.tif 000002
【特許請求の範囲】
【請求項１】
コンテンツが記憶されている第１記憶部と、
コンテンツの編集規則が時間と関連付けて記憶されている第２記憶部と、
コンテンツを特定するコンテンツＩＤを閲覧者の端末に送信する手段と、
上記コンテンツＩＤを含むコンテンツの送信要求を閲覧者の端末から受信する手段と、
上記コンテンツＩＤの送信時刻から送信要求の受信時刻までの時間を計測する手段と、
上記コンテンツＩＤに対応するコンテンツを上記第１記憶部から読み出す手段と、
上記計測した時間に応じた編集規則を上記第２記憶部から読み出す手段と、
上記読み出した編集規則に基づいて、上記読み出したコンテンツを編集する手段と、
上記編集したコンテンツを閲覧者の端末に送信する手段と、
を有してなることを特徴とする情報配信装置。
【請求項２】
コンテンツが記憶されている第１記憶部と、
コンテンツの編集規則が記憶されている第２記憶部と、
閲覧者を特定する閲覧者ＩＤと編集規則を特定する編集規則ＩＤとが関連付けて記憶されている第３記憶部と、
閲覧者ＩＤを含むコンテンツの送信要求を閲覧者の端末から受信する手段と、
コンテンツを上記第１記憶部から読み出す手段と、
上記閲覧者ＩＤと関連付けて上記第３記憶部に記憶されている編集規則ＩＤを読み出し、この編集規則ＩＤに対応する編集規則を上記第２記憶部から読み出す手段と、
上記読み出した編集規則に基づいて上記読み出したコンテンツを編集する手段と、
上記編集したコンテンツを閲覧者の端末に送信する手段と、
を有してなることを特徴とする情報配信装置。
【請求項３】
コンテンツから構成されたＷｅｂページを閲覧者の端末に送信する装置であって、
コンテンツが記憶されている第１記憶部と、
Ｗｅｂページ上のコンテンツの配置場所を示すレイアウト情報が記憶されている第２記憶部と、
閲覧者を特定する閲覧者ＩＤとレイアウト情報を特定するレイアウトＩＤとが関連付けて記憶されている第３記憶部と、
閲覧者ＩＤを含むＷｅｂページの送信要求を閲覧者の端末から受信する手段と、
コンテンツを上記第１記憶部から読み出す手段と、
上記閲覧者ＩＤと関連付けて上記第３記憶部に記憶されているレイアウトＩＤを読み出し、このレイアウトＩＤに対応するレイアウト情報を上記第２記憶部から読み出す手段と、
上記読み出したレイアウト情報に基づいて上記読み出したコンテンツを配置してＷｅｂページを作成する手段と、
上記作成したＷｅｂページを閲覧者の端末に送信する手段と、
を有してなることを特徴とする情報配信装置。
【請求項４】
コンテンツから構成されたＷｅｂページを閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツを特定するコンテンツＩＤを閲覧者の端末に送信する手段と、
上記コンテンツＩＤを含むＷｅｂページの送信要求を閲覧者の端末から受信する手段と、
上記コンテンツＩＤに対応するコンテンツを上記第１記憶部から読み出す手段と、
上記コンテンツＩＤの送信時刻から上記Ｗｅｂページの送信要求の受信時刻までの時間を計測する手段と、
上記計測した時間に応じたレイアウト情報を上記第２記憶部から読み出す手段と、
上記読み出したレイアウト情報に基づいて上記読み出したコンテンツを配置してＷｅｂページを作成する手段と、
上記作成したＷｅｂページを閲覧者の端末に送信する手段と、
を有してなることを特徴とする情報配信装置。
【請求項５】
コンテンツから構成されたＷｅｂページを閲覧者の端末に送信する装置であって、
コンテンツが記憶されている第１記憶部と、
Ｗｅｂページ上のコンテンツの配置場所を示すレイアウト情報が記憶されている第２記憶部と、
閲覧者を特定する閲覧者ＩＤとレイアウト情報を特定するレイアウトＩＤとが関連付けて記憶されている第３記憶部と、
コンテンツの編集規則が記憶されている第４記憶部と、
閲覧者ＩＤと編集規則を特定する編集規則ＩＤとが関連付けて記憶されている第５記憶部と、
閲覧者ＩＤとコンテンツを特定するコンテンツＩＤとを含むＷｅｂページの送信要求を閲覧者の端末から受信する手段と、
上記受信したコンテンツＩＤに対応するコンテンツを上記第１記憶部から読み出す手段と、
上記受信した閲覧者ＩＤと関連付けて上記第３記憶部に記憶されているレイアウトＩＤを読み出し、このレイアウトＩＤに対応するレイアウト情報を上記第２記憶部から読み出す手段と、
上記受信した閲覧者ＩＤと関連付けて上記第５記憶部に記憶されている編集規則ＩＤを読み出し、この編集規則ＩＤに対応する編集規則を上記第４記憶部から読み出す手段と、
上記読み出した編集規則に基づいて上記読み出したコンテンツを編集する手段と、
上記読み出したレイアウト情報に基づいて上記編集したコンテンツを配置してＷｅｂページを作成する手段と、
上記作成したＷｅｂページを閲覧者の端末に送信する手段と、
を有してなることを特徴とする情報配信装置。
【請求項６】
閲覧者の端末に送信したＷｅｂページの閲覧状況を、この閲覧者の端末から受信する手段と、
上記閲覧状況に応じて上記閲覧者の閲覧者ＩＤと関連付けて第３記憶部に記憶されているレイアウトＩＤを変更する手段と、
をさらに備えた請求項５記載の情報配信装置。
【請求項７】
閲覧者の端末に送信したＷｅｂページの閲覧状況を、この閲覧者の端末から受信する手段と、
上記閲覧状況に応じて上記閲覧者の閲覧者ＩＤと関連付けて第５記憶部に記憶されている編集規則ＩＤを変更する手段と、
をさらに備えた請求項５記載の情報配信装置。
【請求項８】
コンテンツＩＤを閲覧者の端末に送信する手段と、
上記コンテンツＩＤの送信時刻からＷｅｂページの送信要求の受信時刻までの時間を計測する手段と、
上記計測した時間に応じて上記閲覧者の閲覧者ＩＤと関連付けて第３記憶部に記憶されているレイアウトＩＤを変更する手段と、
をさらに備えた請求項５記載の情報配信装置。
【請求項９】
コンテンツＩＤを閲覧者の端末に送信する手段と、
上記コンテンツＩＤの送信時刻からＷｅｂページの送信要求の受信時刻までの時間を計測する手段と、
上記計測した時間に応じて上記閲覧者の閲覧者ＩＤと関連付けて第５記憶部に記憶されている編集規則ＩＤを変更する手段と、
をさらに備えた請求項５記載の情報配信装置。
【発明の詳細な説明】
【技術分野】
【０００１】
本発明は、情報の配信技術に関するものであり、特に、配信する情報の内容を、情報の配信先（閲覧者）や配信時期に応じて変化させるものである。
【背景技術】
【０００２】
近年、インターネット技術の高度化や通信インフラの充実を背景に、インターネットを用いた情報の配信が盛んに行われている。
たとえば、企業は、自社の商品を消費者に広告・宣伝するために、Ｗｅｂページ（ホームページ）を作成している。消費者は、企業のＷｅｂサイトにアクセスすることで、文字、図形、動画や音声など、様々な種類のコンテンツで作られたＷｅｂページを閲覧して商品の内容などを知ることができる。
このように、Ｗｅｂページを利用することで、企業など情報の配信者は、不特定多数の者に情報を手軽に配信することができ、一方、消費者など情報の閲覧者は、必要なときに手軽に情報を入手することができる。
【０００３】
しかしながら、Ｗｅｂページは、所定の情報を不特定の者に提供することを目的とするものであるため、どの閲覧者であっても配信される情報は同じである。つまり、従来のＷｅｂページは、配信者によってあらかじめ決められたコンテンツがあらかじめ決められたレイアウトに配置されたものであり、情報の閲覧者ごとにコンテンツやレイアウトを変えたＷｅｂページを配信するものではない。
この点、たとえば、商品の広告であれば、ある消費者層には動画による広告が効果的、つまり購買に結び付きやすいが、別の消費者層には短い文章での広告が効果的など、消費者ごとにきめ細かいアプローチが求められるが、従来のＷｅｂページは、このきめ細かいアプローチに対応することができていない。
【０００４】
これまでにも、Ｗｅｂページのテンプレート、つまり、Ｗｅｂページ内に配置されるコンテンツのレイアウト情報を用いてＷｅｂページを生成する技術は提案されている（たとえば、特許文献１，２参照）。
しかしながら、Ｗｅｂページに含まれるコンテンツの内容やコンテンツのレイアウトを、情報の閲覧者等に応じて変化させる技術についての提案はない。
【特許文献１】特開２００２−３６６４７８号公報
【特許文献２】特許第３７３７３１０号明細書
【発明の開示】
【発明が解決しようとする課題】
【０００５】
本発明は以上のような従来の実情に鑑みてなされたもので、配信する情報の内容やレイアウトを、情報の閲覧者や配信時期に応じて変化させることができる情報配信装置と方法並びにプログラムを提供することを目的とする。
【課題を解決するための手段】
【０００６】
本発明にかかる情報配信装置は、コンテンツと、コンテンツの編集規則と、Ｗｅｂページ上でのコンテンツの配置場所を示すレイアウト情報と、を記憶している記憶部と、編集規則とレイアウト情報をＷｅｂページの閲覧者に応じて選択する手段と、選択した編集規則でコンテンツを編集し、編集したコンテンツを選択したレイアウト情報に基づいて配置したＷｅｂページを生成する手段を備える。
【０００７】
また、本発明にかかる情報配信装置は、コンテンツと、コンテンツの編集規則と、Ｗｅｂページ上でのコンテンツの配置場所を示すレイアウト情報と、を記憶している記憶部と、編集規則とレイアウト情報をＷｅｂページの配信時期に応じて選択する手段と、選択した編集規則でコンテンツを編集し、編集したコンテンツを選択したレイアウト情報に基づいて配置したＷｅｂページを生成する手段を備える。
【発明の効果】
【０００８】
本発明によれば、配信する情報の内容やレイアウトを、情報の閲覧者や配信時期に応じて変化させることができる。
【発明を実施するための最良の形態】
【０００９】
以下、図面を参照しながら、本発明にかかる情報配信装置と方法並びにプログラムの実施の形態について説明する。
【００１０】
図１は、本発明にかかる情報配信装置（以下、「本装置」という）の実施の形態を示すネットワーク構成図である。本装置１０は、通信ネットワーク（図示省略）を介して、端末２０と端末３０のそれぞれと接続する。
【００１１】
通信ネットワークの例としては、インターネットやLAN（Local Area Network）などのコンピュータ通信網がある。本装置１０、端末２０、端末３０は、図示しない専用線、公衆交換電話網（PSTN）、無線電話網、CATV網、衛星通信網等の通信回線を介して通信ネットワークと接続している。
【００１２】
本装置１０では、本発明にかかる情報配信プログラム（以下、「本プログラム」という）が動作して本装置１０内の各手段を制御することで、以下に説明する本発明にかかる情報配信方法（以下、「本方法」という）を実現する。
ここで、本プログラムを記録したコンピュータ読取可能な記録媒体（以下、「本記録媒体」という）を用いれば、図示しないコンピュータを本装置１０と同様に機能させることができる。すなわち、図示しないコンピュータが、本記録媒体から本プログラムを読取、実行することで、本方法を実現することができる。
【００１３】
以下に説明する実施の形態は、広告主が広告代理店を通じて消費者に商品の広告用のＷｅｂページを閲覧させる場合を例に説明する。すなわち、広告代理店の本装置１０は、広告主の端末２０から受信した商品画像などを用いて商品の広告用のＷｅｂページ（以下、「広告ページ」という）を生成し、消費者の端末３０に配信する。本装置１０は、広告ページの配信に先立って、広告ページへのアクセスを誘引するための電子メール（以下、「広告メール」という）を端末３０に送信する。この広告メールには、広告ページのＵＲＬが掲載されている。
ここで、広告ページは本装置１０が配信する情報の例であり、消費者は情報の閲覧者の例であり、以下に説明するように、本装置１０は、消費者ごとに異なる内容（コンテンツの内容やレイアウト）の広告ページを生成して配信する。
【００１４】
以下、本装置１０の構成について、説明する。
本装置１０は、端末２０、端末３０と通信ネットワークを介して通信することができる情報処理装置であればよく、たとえば、パーソナルコンピュータなどで実現される。
図１は、本装置１０の構成の例を示すブロック図である。
本装置１０は、記憶部１１、コンテンツ受信部１２、メール送信部１３、ページ送信部１４、操作情報受信部１５、分析情報送信部１６と、を有してなる。
【００１５】
記憶部１１は、コンテンツ、閲覧者情報、編集規則、レイアウト情報、ページ情報、配信履歴を記憶する手段であり、コンテンツを記憶するコンテンツデータベースＤＢ１と、閲覧者情報を記憶する閲覧者情報データベースＤＢ２と、編集規則を記憶する編集規則データベースＤＢ３と、レイアウト情報を記憶するレイアウト情報データベースＤＢ４と、ページ情報を記憶するページ情報データベースＤＢ５と、配信履歴を記憶する配信履歴データベースＤＢ６と、を備える。
【００１６】
コンテンツとは、本装置１０が端末３０に配信する電子情報であり、文字（テキスト）、静止画、動画、音声、など、各種フォーマットがある。
図２は、コンテンツデータベースＤＢ１に記憶されているコンテンツの例を示す模式図であり、コンテンツ（図２には説明の便宜上、コンテンツのファイル名で示している）と、このコンテンツを特定するコンテンツＩＤとが関連付けて記憶されていることを示している。
図８と図９は、コンテンツの例を示す模式図であり、図８は画像情報、図９は文字情報を示している。ＤＢ１には、図８の画像情報がコンテンツＩＤ「Ｃ０１」と関連付けて記憶され、図９の文字情報がコンテンツＩＤ「Ｃ０２」と関連付けて記憶されていることを示している。
【００１７】
閲覧者情報とは、閲覧者に関する情報である。
図３は、閲覧者情報ＤＢ２に記憶されている閲覧者情報の例を示す模式図であり、閲覧者を特定する閲覧者ＩＤと関連付けて、閲覧者（消費者）の氏名、メールアドレス、編集規則ＩＤ、レイアウトＩＤ、などが記憶されていることを示している。編集規則ＩＤとレイアウトＩＤについては、後述する。
【００１８】
編集規則とは、「文章を要約する」「画像を縮小する」など、コンテンツの編集方法に関する情報である。
図４は、編集規則ＤＢ３に記憶されている編集規則の例を示す模式図であり、編集規則を特定する編集規則ＩＤと関連付けて、編集規則やコンテンツの種類が記憶されていることを示している。
【００１９】
レイアウト情報とは、Ｗｅｂページ上のコンテンツの配置場所を示す情報である。
図５は、レイアウト情報ＤＢ４に記憶されているレイアウト情報の例を示す模式図であり、レイアウト情報を特定するレイアウトＩＤと関連付けて、レイアウト情報が記憶されていることを示している。なお、レイアウト情報はHTML（Hyper Transfer Markup Language）で記述されているが、説明の便宜上、図５に示すレイアウト情報は、このレイアウト情報に基づいて生成されるＷｅｂページのイメージとして示している。
【００２０】
図１０は、図８と図９に示したコンテンツと、図５に示したレイアウト情報との関係を示す模式図であり、図１０の（ａ）〜（ｄ）は、それぞれ、図５に示したレイアウトＩＤ「Ｌ０１」〜「Ｌ０４」を用いて生成されたＷｅｂページの例を示す。
【００２１】
ページ情報とは、本装置１０が端末３０に配信するＷｅｂページを構成するコンテンツを特定する情報である。
図６は、ページ情報ＤＢ５に記憶されているページ情報の例を示す模式図であり、ページ情報を特定するページＩＤと関連付けて、ページ情報としてのコンテンツＩＤが記憶されていることを示している。
【００２２】
配信履歴とは、閲覧者に配信したＷｅｂページに関する情報である。
図７は、配信履歴データベースＤＢ６に記憶されている配信履歴の例を示す模式図であり、配信履歴には、閲覧者ＩＤと、この閲覧者に配信されたＷｅｂページに係るページＩＤと編集規則とレイアウトＩＤと、操作情報、などが含まれることを示している。
操作情報とは、本装置１０から受信したＷｅｂページに対する閲覧者の端末３０上での操作に関する情報である。
操作情報の例としては、たとえば、本装置１０から受信したＷｅｂページに表示されている購入ボタン（Ｗｅｂページに掲載された商品を購入するために、消費者の氏名や商品の配送先などを入力するＷｅｂページへのリンク）が選択（クリック）されたか否かがある。
【００２３】
コンテンツ受信部１２とは、コンテンツを端末２０から受信してコンテンツＤＢ１に記憶する手段である。
【００２４】
メール送信部１３とは、記憶部１１に記憶されている情報を用いて作成した電子メールを端末３０に送信する手段である。
【００２５】
ページ送信部１４とは、Ｗｅｂページの配信要求を端末３０から受信し、記憶部１１に記憶されている情報を用いて生成したＷｅｂページを端末３０に配信する手段である。
【００２６】
操作情報受信部１５とは、操作情報を端末３０から受信して配信履歴データベースＤＢ６に記憶する手段である。
【００２７】
分析情報送信部１６とは、記憶部１１に記憶されている情報を用いて作成した分析情報を端末２０に送信する手段である。
分析情報とは、本装置１０が配信した広告メールや広告ページに対する閲覧者の反応に関する情報であり、たとえば、広告ページへのアクセス数などがある。
【００２８】
図１１は、コンテンツ、編集規則、レイアウト情報、Ｗｅｂページ間の関係を示した模式図である。
まず、閲覧者に応じて、編集規則とレイアウト情報が選択される。
次に、Ｗｅｂページに配置されるコンテンツが、選択された編集規則を用いて編集される。
次に、編集されたコンテンツ（以下、「編集コンテンツ」という）を、選択されたレイアウト情報に基づいて配置してＷｅｂページが生成される。
【００２９】
以下、本方法について説明する。
図１２は、本方法の実施の形態を示すシーケンス図である。
なお、本装置１０のＤＢ２，ＤＢ３，ＤＢ４には、それぞれ、閲覧者情報、編集規則、レイアウト情報が記憶されている（Ｓ１０）。
【００３０】
本装置１０は、コンテンツ受信部１２を用いて、コンテンツを端末２０から受信し（Ｓ１１）、ＤＢ１に記憶する（Ｓ１２）。受信したコンテンツと関連付けてＤＢ１に記憶するコンテンツＩＤは、コンテンツと共に端末２０から受信するようにしてもよいし、あるいは、コンテンツを受信した本装置１０が採番するようにしてもよい。
【００３１】
また、コンテンツを受信した本装置１０は、端末３０に配信するＷｅｂページを構成するコンテンツの集合、つまり、ページ情報をＤＢ５に記憶する。ページ情報と関連付けてＤＢ５に記憶されるページＩＤは、コンテンツと共に端末２０から受信するようにしてもよいし、あるいは、コンテンツを受信した本装置１０が採番するようにしてもよい。
【００３２】
本装置１０は、メール送信部１３を用いて、広告メールを作成する（Ｓ１３）。
図１３は、本装置１０が作成して端末３０に送信する広告メールの本文の例を示す模式図であり、本文ＭＡ０１にはＵＲＬ（Uniform Resource Locator）がリンク形式で記載されていることを示している。つまり、消費者が端末３０の情報入力手段、たとえば、キーボードやマウスなどを用いて本文ＭＡ０１のＵＲＬを選択すると、このＵＲＬに対応するＷｅｂページが端末３０に表示される。
【００３３】
なお、本装置１０は、記憶部１１にメール本文のひな型を記憶していて、広告メール作成時に、ひな型を読み出し、ＤＢ２に記憶されている消費者の氏名や広告ページのＵＲＬを読み出したひな型に挿入して本文ＭＡ０１を完成させるように構成してもよい。
【００３４】
ひな型は、たとえば、消費者の性格カテゴリ別に用意しておき、本装置１０は、広告メールの送信先の消費者の性格カテゴリに応じて、ひな型を選択するように構成してもよい。この構成によれば、たとえば、性格カテゴリごとに消費者が受け入れやすい表現の文面（読んでみたいと思わせる文面など）で広告メールを作成することができ、送信した広告メールに記載された広告ページへのアクセス率の向上を期待できる。
消費者の性格カテゴリは、たとえば、本装置１０からの質問（アンケート）に対する消費者の回答に基づいて判定するようにしてもよい。この場合、本装置１０は、消費者の性格カテゴリを分類するための質問を記憶している手段と、この質問を消費者の端末に送信する手段と、送信した質問に対する回答を消費者の端末から受信する手段と、受信した回答に基づいて消費者の性格カテゴリを判定する手段と、判定した消費者の性格カテゴリをこの消費者を特定する閲覧者ＩＤと関連付けてＤＢ２に記憶する手段と、を備える。
【００３５】
本装置１０は、作成した広告メールを、ＤＢ２に記憶されている消費者のメールアドレスを用いて送信する（Ｓ１４）。
消費者は、本装置１０から受信した広告メールを端末３０に表示させて閲覧する（Ｓ１５）。
消費者が広告メールの本文ＭＡ０１に記載されたＵＲＬを選択すると、本装置１０は、ページ送信部１４を用いて、Ｗｅｂページの配信要求を端末３０から受信する（Ｓ１６）。このＷｅｂページの配信要求には、広告メールのＵＲＬにパラメータとして記載されている消費者ＩＤ「U01」とページＩＤ「P01」とが含まれる。
【００３６】
本装置１０は、受信したＷｅｂページの配信要求に含まれる消費者ＩＤ「U01」と関連付けてＤＢ２に記憶されている編集規則「R02」「R11」とレイアウトＩＤ「L01」を読み出し、このレイアウトＩＤ「L01」に対応するレイアウト情報をＤＢ４から読み出す。
また、本装置１０は、受信したＷｅｂページの配信要求に含まれるページＩＤ「P01」と関連付けてＤＢ５に記憶されているページ情報「C01」「C02」を読み出し、このページ情報に対応するコンテンツ「G01.jpeg」「G01.txt」をＤＢ１から読み出す。
【００３７】
本装置１０は、ＤＢ１から読み出したコンテンツを、ＤＢ２から読み出した編集規則に基づいて編集し（Ｓ１７）、この編集コンテンツとＤＢ４から読み出したレイアウト情報を用いてＷｅｂページを生成する（Ｓ１８）。
【００３８】
ここで、本装置１０には、図３と図４に示すように、Ａさん（閲覧者ＩＤ「U01」）に配信されるＷｅｂページに配置されるコンテンツの編集規則は、テキストは「要約する」、画像は「編集しない」と設定されている。また、図３と図５に示すように、Ａさんに配信されるＷｅｂページのレイアウトは、テキスト（文字）をイメージ（画像）の下に配置するように設定されている。この編集規則とレイアウト情報に基づき、本装置１０は、テキスト「G01.txt」の内容を要約した上で、画像「G01.jpeg」の下に配置してＷｅｂページを生成する。
【００３９】
図１４は、本装置１０が生成したＷｅｂページの例を示す模式図であり、ＷｅｂページＷＰ０１が、３つのフレームＦ０１、Ｆ０２，Ｆ０３から構成されていることを示している。
【００４０】
フレームＦ０１は、本装置１０が生成するＷｅｂページに共通に含まれるフレームである。図１４のフレームＦ０１には、Ｗｅｂページの配信要求に含まれる消費者ＩＤ「U01」と関連付けてＤＢ２に記憶されている消費者の氏名「Ａ」や、ボタンＢ０１が配置されている。ボタンＢ０１は、ＷｅｂページＷＰ０１に掲載された商品の購入ページへのリンクである。
フレームＦ０２には、ＤＢ１から読み出されたコンテンツ「G01.jpeg」が編集されずにそのまま配置されている。
フレームＦ０３には、ＤＢ１から読み出されたコンテンツ「G01.TXT」の要約結果が配置されている。
【００４１】
なお、本装置１０の記憶部１１には、公知のコンテンツの編集用プログラム、たとえば、テキストの要約プログラムや、画像情報の編集（縮小・拡大）プログラムなどが記憶されていて、本装置１０は、これらのプログラムを用いて、コンテンツを編集する。
【００４２】
本装置１０は、生成したＷｅｂページを、Ｗｅｂページの配信要求の送信元である端末３０に配信する（Ｓ１９）。
端末３０には、本装置１０から受信したＷｅｂページが表示される（Ｓ２０）。
【００４３】
本装置１０は、Ｗｅｂページを端末３０に配信後、操作情報を端末３０から受信して、ＤＢ６に記憶する（Ｓ２１）。
ここでの操作情報は、ＷｅｂページＷＰ０１に掲載されたボタンＢ０１が選択（クリック）されたか否かである。消費者がボタンＢ０１を選択すると、本装置１０は、ページＩＤ「Ｐ０１」と閲覧者ＩＤ「Ｕ０１」を端末３０から受信するように構成されている。本装置１０は、受信した操作情報を、受信したページＩＤと閲覧者ＩＤと関連付けてＤＢ６に記憶する。図７の操作情報欄の「○」はボタンＢ０１が選択されたことを示していて、「×」はボタンＢ０１が一定時間内（広告ページの配信時刻から所定時間内）に選択されなかったことを示している。
【００４４】
本装置１０は、端末３０から受信した操作情報をもとに、ＤＢ２に記憶されている閲覧者情報を更新する。
ここで、閲覧者情報の更新方法について説明する。
【００４５】
たとえば、図７の配信履歴によると、閲覧者ＩＤ「U01」の消費者Ａさんは、同じページＩＤ「P01」でレイアウトＩＤ「L01」の広告ページであっても、編集規則が「R01」「R11」では購入ボタンを選択していないが、編集規則が「R02」「R11」では購入ボタンを選択している。
一方、閲覧者ＩＤ「U02」の消費者Ｂさんは、ページＩＤ「P01」、レイアウトＩＤ「L01」、編集規則「R01」「R11」の広告ページについては、閲覧者ＩＤ「U01」のＡさんと同様、購入ボタンを選択していない。また、前述のとおり、Ａさんは、編集規則「R01」が「R02」に変更された広告ページについては、購入ボタンを選択している。
そこで、本装置１０は、ＤＢ３に記憶されている閲覧者ＩＤ「U02」と関連付けて記憶されている編集規則「R01」を「R02」に更新する。その結果、次に本装置１０がＢさんに配信する広告ページは、Ａさんが購入ボタンを選択したときの編集規則と同じ内容で編集されたコンテンツで生成され、Ａさんと同様、購入ボタンが選択されることが期待できる。
【００４６】
このように、本装置１０は、消費者に配信した広告ページに対する消費者の行動、つまり、操作情報に基づいて、次に配信する広告ページの内容（編集規則やレイアウト情報）を変更することができる。
なお、前述の例は、Ａさんの操作情報に基づいてＢさんの閲覧者情報を更新するものであったが、Ａさんの操作情報に基づいてＡさんの閲覧者情報を更新するようにしてもよい。
【００４７】
本装置１０は、分析情報を生成し（Ｓ２３）、端末２０に送信する（Ｓ２４）。
本装置１０が分析情報を端末２０に送信する方法としては、たとえば、本装置１０が記憶部１１に記憶されている情報をもとに分析情報を生成し、この分析情報を掲載したＷｅｂページを生成した上で、このＷｅｂページのURLを記載した電子メールを端末２０に送信する。端末２０に送信される電子メールのメールアドレス、つまり、広告主のメールアドレスは、本装置１０内の記憶部１１に記憶されている。
広告主が本装置１０から受信して端末２０に表示させた電子メールに記載されたURLを選択すると、本装置１０は、このURLに対応する分析情報を掲載したＷｅｂページを端末２０に送信する。
【００４８】
図１５は、本装置１０が生成して端末２０に送信する分析情報を掲載したＷｅｂページの例を示す模式図である。
ＷｅｂページＷＰ０２には、アクセス率と購入決定率が記載されている。
アクセス率とは、ある商品の広告メールを受信した消費者のうち、この商品の広告ページにアクセスした消費者の人数の割合である。たとえば、本装置１０が、ある商品の広告メールを１万人の消費者に送信し、広告メールに記載されたURLを選択してこの商品の広告ページにアクセスした消費者が４８０人だとすると、アクセス数は４８．０％（＝４８０÷１０，０００）である。
一方、購入決定率とは、ある商品の広告メールを受信した消費者のうち、この商品の広告ページにアクセスして購入ボタンを選択した消費者の人数の割合である。たとえば、本装置１０が、ある商品の広告メールを１万人の消費者に送信し、この商品の広告ページに掲載された購入ボタンを選択して商品を購入した（購入を申し込んだ）消費者が６００人だとすると、購入決定率は６．０％（＝６００÷１０，０００）である。
【００４９】
本装置１０は、前述のアクセス率や購入決定率を、ページＩＤごとに広告メールの送信数、広告ページの配信数、操作情報の受信数を用いて算出する必要がある。したがって、本装置１０は、広告メールの送信時、広告ページの配信時、操作情報の受信時に、送信・配信・受信の履歴（ページＩＤや送信時刻等）を記憶部１１に記憶しておき、分析情報の生成時に、この履歴をページＩＤごとに集計してアクセス率などを算出するように構成するとよい。
【００５０】
また、ＷｅｂページＰ０２には、ページパターンごとの購入決定率の内訳が記載されている。
ページパターンとは、レイアウト情報と編集規則の組合せである。ＷｅｂページＷＰ０２中の文字列「パターン１」を選択すると、パターン１に対応するページパターンの送信要求が端末２０から本装置１０に送信され、本装置１０は、対応するページパターンを端末２０に返信する。図１６は、本装置１０が端末２０に返信したページパターンの例を示すＷｅｂページである。
広告主は、図１５に示したＷｅｂページＷＰ０２を閲覧することで、ページパターンごとの購入決定率を知ることができ、図１６に示したＷｅｂページＷＰ０３を閲覧することで、たとえば、購入決定率の高いページパターンを知ることができる。したがって、広告主は、本装置１０に送信して登録したコンテンツが、どのように編集され、どのようにレイアウトされたときに、購入決定率が高くなるのかを把握することができ、今後のコンテンツの作成などに反映させることができる。
【００５１】
以上説明した実施の形態によれば、編集規則やレイアウト情報の組合せにより、同じコンテンツから異なる内容の広告ページを生成して配信することができる。したがって、消費者ごとに編集規則やレイアウト情報を設定しておけば、同じコンテンツであっても消費者ごとに異なる広告ページを配信することができる。
【００５２】
また、消費者ごとに設定されている編集規則やレイアウト情報は、その消費者本人や他の消費者の広告ページの閲覧状況（広告ページに対する操作情報）に応じて変更（更新）することができる。したがって、配信した広告ページに対する操作情報を収集・分析することで、購入決定率が高い編集規則やレイアウト情報を特定し、その後に配信する広告ページに関する編集規則などに反映させることができる。
【００５３】
なお、以上説明した実施の形態では、図１１に示したように、編集規則とレイアウト情報は、消費者に応じて選択するものであった。これに対して、図１７に示すように、編集規則とレイアウト情報は、Ｗｅｂページの配信時期によって選択するようにしてもよい。ここで、Ｗｅｂページの送信時期の例としては、たとえば、広告メールの配信時刻から広告ページの配信要求の受信時刻までの時間を用いる。すなわち、本装置１０は、広告メールの配信時刻から広告ページの配信要求の受信時刻までの時間に応じた広告ページを生成する。
以下、時間に応じた広告ページを生成する方法について説明する。
【００５４】
本装置１０には、先に説明したデータベースに加えて、図１８に示すＷｅｂページの送信時期ごとの編集規則ＩＤとレイアウトＩＤの組合せが関連付けて記憶されているデータベースを備える。
一方、閲覧者情報データベースは、図３に示したＤＢ１に代えて、図１９に示すＤＢ１ａを用いる。すなわち、ＤＢ１ａには、閲覧者ＩＤと関連付けて閲覧者の氏名やメールアドレスが記憶されているものの、ＤＢ１のように、編集規則ＩＤやレイアウトＩＤは記憶されていない。
また、配信履歴データベースは、図７に示したＤＢ６に代えて、図２０に示すＤＢ６ａを用いる。ＤＢ６ａには、閲覧者ＩＤと関連付けて、ページＩＤ、広告メールの送信日時、広告ページの配信日時、この広告ページの編集規則ＩＤとレイアウトＩＤ、操作情報、などが記憶されている。
【００５５】
本装置１０は、広告メールを端末３０に送信した際に、広告メールの送信日時をＤＢ６ａに消費者ＩＤとページＩＤと関連付けて記憶する。その後、送信した広告メールに記載されたURLが選択されて広告ページの配信要求を受信したとき、本装置１０は、この配信要求の受信日時を特定し、広告メールの送信日時からの経過時間を特定する。
なお、本装置１０は、広告メールの送信日時、広告ページの配信要求の受信日時、広告メールの送信日時から広告ページの配信要求の受信日時までの経過時間を特定する手段を備えている。
【００５６】
本装置１０は、ＤＢ７を参照して、特定した経過時間に対応する編集規則ＩＤとレイアウトＩＤを読み出し、ＤＢ３とＤＢ４から対応する編集規則とレイアウト情報を読み出す。
その後、本装置１０は、先に説明したように、端末３０から受信したページＩＤに対応するコンテンツと、読み出した編集規則とレイアウト情報を用いてＷｅｂページを生成して端末３０に配信する。
【００５７】
なお、Ｗｅｂページの配信時期の別の例としては、端末３０から広告ページの配信要求の受信時刻の時間帯がある。すなわち、本装置１０は、同じ商品であっても、日中と夜間とで異なる広告ページ、たとえば、夜間には音声を含まないように生成する。この場合、本装置１０内には、図１８に示したＤＢ７の時間欄に代えて、時間帯が設定される。
【００５８】
また、Ｗｅｂページの配信時期のさらに別の例としては、同じページＩＤに対する端末３０からの広告ページの配信要求の受信回数がある。すなわち、本装置１０は、同じ商品であっても、広告ページを配信する都度、異なる広告ページを配信することができる。この場合、本装置１０内には、図１８に示したＤＢ７の時間欄に代えて、配信回数が設定される。また、本装置１０は、消費者別のページＩＤごとの広告ページの配信回数を計測する手段を備える。
【００５９】
なお、先に説明した閲覧者に応じて選択される場合と同様、Ｗｅｂページの配信時期ごとの編集規則やレイアウト情報を、閲覧者の閲覧状況に応じて変更するように本装置１０を構成してもよい。
【００６０】
ここまで説明してきた本装置と本方法並びに本プログラムの実施の形態は、広告代理店が広告主から提供されたコンテンツを用いてＷｅｂページを生成して消費者に配信する場合を例にしたものであった。しかし、本発明は、商品の広告に関するＷｅｂページに限らず、情報の閲覧者や配信時期に応じて情報の内容を変化させて配信するものであれば適用可能である。
【００６１】
商品の広告に関するＷｅｂページ以外への本発明の適用例としては、たとえば、異性同士の会員を紹介し合う結婚情報サービスなどがある。すなわち、結婚情報サービス事業者が運営する本装置（１０）が、男性会員の端末（２０）からこの会員の自己紹介文や写真画像などのコンテンツを受信して記憶しておき、女性会員の端末（３０）に男性会員を紹介するＷｅｂページを配信する。ここで、前述のとおり本装置（１０）は、女性会員ごとに設定されている編集規則やレイアウト情報などに基づいて、男性会員の自己紹介文などを編集等してＷｅｂページを生成することができる。つまり、同一の男性会員を紹介するＷｅｂページであっても、紹介する女性会員に応じて、その内容を変化させることができる。
【００６２】
以上説明した本発明にかかる情報配信装置の構成上の特徴は、以下のとおりである。
【００６３】
本発明にかかる情報配信装置は、コンテンツが記憶されている第１記憶部と、コンテンツの編集規則が時間と関連付けて記憶されている第２記憶部と、コンテンツを特定するコンテンツＩＤを閲覧者の端末に送信する手段と、コンテンツＩＤを含むコンテンツの送信要求を閲覧者の端末から受信する手段と、コンテンツＩＤの送信時刻から送信要求の受信時刻までの時間を計測する手段と、コンテンツＩＤに対応するコンテンツを第１記憶部から読み出す手段と、計測した時間に応じた編集規則を第２記憶部から読み出す手段と、読み出した編集規則に基づいて、読み出したコンテンツを編集する手段と、編集したコンテンツを閲覧者の端末に送信する手段と、を有してなる。
【００６４】
また、本発明にかかる情報配信装置は、コンテンツが記憶されている第１記憶部と、コンテンツの編集規則が記憶されている第２記憶部と、閲覧者を特定する閲覧者ＩＤと編集規則を特定する編集規則ＩＤとが関連付けて記憶されている第３記憶部と、閲覧者ＩＤを含むコンテンツの送信要求を閲覧者の端末から受信する手段と、コンテンツを第１記憶部から読み出す手段と、閲覧者ＩＤと関連付けて第３記憶部に記憶されている編集規則ＩＤを読み出し、この編集規則ＩＤに対応する編集規則を第２記憶部から読み出す手段と、読み出した編集規則に基づいて読み出したコンテンツを編集する手段と、編集したコンテンツを閲覧者の端末に送信する手段と、を有してなる。
【００６５】
また、本発明にかかる情報配信装置は、コンテンツから構成されたＷｅｂページを閲覧者の端末に送信する装置であって、コンテンツが記憶されている第１記憶部と、Ｗｅｂページ上のコンテンツの配置場所を示すレイアウト情報が記憶されている第２記憶部と、閲覧者を特定する閲覧者ＩＤとレイアウト情報を特定するレイアウトＩＤとが関連付けて記憶されている第３記憶部と、閲覧者ＩＤを含むＷｅｂページの送信要求を閲覧者の端末から受信する手段と、コンテンツを第１記憶部から読み出す手段と、閲覧者ＩＤと関連付けて第３記憶部に記憶されているレイアウトＩＤを読み出し、このレイアウトＩＤに対応するレイアウト情報を第２記憶部から読み出す手段と、読み出したレイアウト情報に基づいて読み出したコンテンツを配置してＷｅｂページを作成する手段と、作成したＷｅｂページを閲覧者の端末に送信する手段と、を有してなる。
【００６６】
また、本発明にかかる情報配信装置は、コンテンツから構成されたＷｅｂページを閲覧者の端末に送信する装置であって、コンテンツが記憶されている第１記憶部と、Ｗｅｂページ上のコンテンツの配置場所を示すレイアウト情報が時間と関連付けて記憶されている第２記憶部と、コンテンツを特定するコンテンツＩＤを閲覧者の端末に送信する手段と、コンテンツＩＤを含むＷｅｂページの送信要求を閲覧者の端末から受信する手段と、コンテンツＩＤに対応するコンテンツを第１記憶部から読み出す手段と、コンテンツＩＤの送信時刻からＷｅｂページの送信要求の受信時刻までの時間を計測する手段と、計測した時間に応じたレイアウト情報を第２記憶部から読み出す手段と、読み出したレイアウト情報に基づいて読み出したコンテンツを配置してＷｅｂページを作成する手段と、作成したＷｅｂページを閲覧者の端末に送信する手段と、を有してなる。
【００６７】
また、本発明にかかる情報配信装置は、コンテンツから構成されたＷｅｂページを閲覧者の端末に送信する装置であって、コンテンツが記憶されている第１記憶部と、Ｗｅｂページ上のコンテンツの配置場所を示すレイアウト情報が記憶されている第２記憶部と、閲覧者を特定する閲覧者ＩＤとレイアウト情報を特定するレイアウトＩＤとが関連付けて記憶されている第３記憶部と、コンテンツの編集規則が記憶されている第４記憶部と、閲覧者ＩＤと編集規則を特定する編集規則ＩＤとが関連付けて記憶されている第５記憶部と、閲覧者ＩＤとコンテンツを特定するコンテンツＩＤとを含むＷｅｂページの送信要求を閲覧者の端末から受信する手段と、受信したコンテンツＩＤに対応するコンテンツを第１記憶部から読み出す手段と、受信した閲覧者ＩＤと関連付けて第３記憶部に記憶されているレイアウトＩＤを読み出し、このレイアウトＩＤに対応するレイアウト情報を第２記憶部から読み出す手段と、受信した閲覧者ＩＤと関連付けて第５記憶部に記憶されている編集規則ＩＤを読み出し、この編集規則ＩＤに対応する編集規則を第４記憶部から読み出す手段と、読み出した編集規則に基づいて読み出したコンテンツを編集する手段と、読み出したレイアウト情報に基づいて編集したコンテンツを配置してＷｅｂページを作成する手段と、作成したＷｅｂページを閲覧者の端末に送信する手段と、を有してなる。
さらに、閲覧者の端末に送信したＷｅｂページの閲覧状況を、この閲覧者の端末から受信する手段と、閲覧状況に応じて閲覧者の閲覧者ＩＤと関連付けて第３記憶部に記憶されているレイアウトＩＤを変更する手段と、を備える。
あるいは、閲覧者の端末に送信したＷｅｂページの閲覧状況を、この閲覧者の端末から受信する手段と、閲覧状況に応じて閲覧者の閲覧者ＩＤと関連付けて第５記憶部に記憶されている編集規則ＩＤを変更する手段と、を備える。
あるいはまた、コンテンツＩＤを閲覧者の端末に送信する手段と、コンテンツＩＤの送信時刻からＷｅｂページの送信要求の受信時刻までの時間を計測する手段と、計測した時間に応じて閲覧者の閲覧者ＩＤと関連付けて第３記憶部に記憶されているレイアウトＩＤを変更する手段と、を備える。
あるいはまた、コンテンツＩＤを閲覧者の端末に送信する手段と、コンテンツＩＤの送信時刻からＷｅｂページの送信要求の受信時刻までの時間を計測する手段と、計測した時間に応じて閲覧者の閲覧者ＩＤと関連付けて第５記憶部に記憶されている編集規則ＩＤを変更する手段と、を備える。
【図面の簡単な説明】
【００６８】
【図１】本発明にかかる情報配信装置の実施の形態を示すブロック図である。
【図２】コンテンツデータベースに記憶されているコンテンツの例を示す模式図である。
【図３】閲覧者情報データベースに記憶されている閲覧者情報の例を示す模式図である。
【図４】編集規則データベースに記憶されている編集規則の例を示す模式図である。
【図５】レイアウト情報データベースに記憶されているレイアウト情報の例を示す模式図である。
【図６】ページ情報データベースに記憶されているページ情報の例を示す模式図である。
【図７】配信履歴データベースに記憶されている配信履歴の例を示す模式図である。
【図８】コンテンツデータベースに記憶されているコンテンツ（画像情報）の例を示す模式図である。
【図９】コンテンツデータベースに記憶されている別のコンテンツ（文字情報）の例を示す模式図である。
【図１０】コンテンツとレイアウト情報との関係を示す模式図である。
【図１１】コンテンツ、編集規則、レイアウト情報、Ｗｅｂページの関係を示す模式図である。
【図１２】本発明にかかる情報配信方法の実施の形態を示すシーケンス図である。
【図１３】上記情報配信装置が配信する電子メールの本文の例を示す模式図である。
【図１４】上記情報配信装置が生成・配信するＷｅｂページの例を示す模式図である。
【図１５】上記情報配信装置が生成・配信する分析情報の例を示す模式図である。
【図１６】上記分析情報の別の例を示す模式図である。
【図１７】コンテンツ、編集規則、レイアウト情報、Ｗｅｂページの別の関係を示す模式図である。
【図１８】閲覧者情報データベースに記憶される閲覧者情報の別の例を示す模式図である。
【図１９】配信履歴データベースに記憶されている配信履歴の別の例を示す模式図である。
【図２０】編集規則とレイアウト情報が時間と関連付けて記憶されているデータベースの例を示す模式図である。
【符号の説明】
【００６９】
１０    情報配信装置
２０    コンテンツ提供者の端末
３０    消費者の端末
ＤＢ１  コンテンツデータベース
ＤＢ２  閲覧者情報データベース
ＤＢ３  編集規則データベース
ＤＢ４  レイアウト情報データベース
ＤＢ５  ページ情報データベース
ＤＢ６  配信履歴データベース
【図１】
2007328733.tif 000003
【図２】
2007328733.tif 000004
【図３】
2007328733.tif 000005
【図４】
2007328733.tif 000006
【図５】
2007328733.tif 000007
【図６】
2007328733.tif 000008
【図７】
2007328733.tif 000009
【図８】
2007328733.tif 000010
【図９】
2007328733.tif 000011
【図１０】
2007328733.tif 000012
【図１１】
2007328733.tif 000013
【図１２】
2007328733.tif 000014
【図１３】
2007328733.tif 000015
【図１４】
2007328733.tif 000016
【図１５】
2007328733.tif 000017
【図１６】
2007328733.tif 000018
【図１７】
2007328733.tif 000019
【図１８】
2007328733.tif 000020
【図１９】
2007328733.tif 000021
【図２０】
2007328733.tif 000022
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
閲覧者の端末と通信ネットワークを介して接続した装置であって、
コンテンツが記憶されている第１記憶部と、
コンテンツの編集規則が時間と関連付けて記憶されている第２記憶部と、
コンテンツを特定するコンテンツＩＤを上記閲覧者の端末に送信する手段と、
上記コンテンツＩＤを含むコンテンツの送信要求を上記閲覧者の端末から受信する手段と、
上記コンテンツＩＤの送信時刻から送信要求の受信時刻までの時間を計測する手段と、
上記コンテンツＩＤに対応するコンテンツを上記第１記憶部から読み出す手段と、
上記計測した時間に応じた編集規則を上記第２記憶部から読み出す手段と、
上記読み出した編集規則に基づいて、上記読み出したコンテンツを編集する手段と、
上記編集したコンテンツを上記閲覧者の端末に送信する手段と、
を有してなることを特徴とする情報配信装置。
【請求項２】
閲覧者の端末とは異なる別の端末と通信ネットワークを介して接続し、
上記閲覧者の端末に送信した編集したコンテンツの閲覧状況を示す情報を、この閲覧者の端末から受信する手段と、
上記受信した閲覧状況を示す情報を、読み出した編集規則と関連付けて記憶する記憶部と、
上記記憶部に関連付けて記憶されている編集規則と閲覧状況を示す情報とを、上記別の端末に送信する手段と、
をさらに備えた請求項１記載の情報配信装置。
【請求項３】
閲覧者の端末と通信ネットワークを介して接続し、コンテンツから構成されたＷｅｂページをこの閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツを特定するコンテンツＩＤを上記閲覧者の端末に送信する手段と、
上記コンテンツＩＤを含むＷｅｂページの送信要求を上記閲覧者の端末から受信する手段と、
上記コンテンツＩＤに対応するコンテンツを上記第１記憶部から読み出す手段と、
上記コンテンツＩＤの送信時刻から上記Ｗｅｂページの送信要求の受信時刻までの時間を計測する手段と、
上記計測した時間に応じたレイアウト情報を上記第２記憶部から読み出す手段と、
上記読み出したレイアウト情報に基づいて上記読み出したコンテンツを配置してＷｅｂページを作成する手段と、
上記作成したＷｅｂページを上記閲覧者の端末に送信する手段と、
を有してなることを特徴とする情報配信装置。
【請求項４】
閲覧者の端末とは異なる別の端末と通信ネットワークを介して接続し、
上記閲覧者の端末に送信したＷｅｂページの閲覧状況を示す情報を、この閲覧者の端末から受信する手段と、
上記受信した閲覧状況を示す情報を、読み出したレイアウト情報と関連付けて記憶する記憶部と、
上記記憶部に関連付けて記憶されているレイアウト情報と閲覧状況を示す情報とを、上記別の端末に送信する手段と、
をさらに備えた請求項３記載の情報配信装置。
【請求項５】
閲覧者の端末と通信ネットワークを介して接続し、コンテンツから構成されたＷｅｂページをこの閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツの編集規則が記憶されている第３記憶部と、
コンテンツを特定するコンテンツＩＤを上記閲覧者の端末に送信する手段と、
コンテンツＩＤを含むＷｅｂページの送信要求を上記閲覧者の端末から受信する手段と、
上記受信したコンテンツＩＤに対応するコンテンツを上記第１記憶部から読み出す手段と、
上記コンテンツＩＤの送信時刻から上記Ｗｅｂページの送信要求の受信時刻までの時間を計測する手段と、
上記計測した時間に応じたレイアウト情報を上記第２記憶部から読み出す手段と、
上記計測した時間に応じた編集規則を上記第３記憶部から読み出す手段と、
上記読み出した編集規則に基づいて上記読み出したコンテンツを編集する手段と、
上記読み出したレイアウト情報に基づいて上記編集したコンテンツを配置してＷｅｂページを作成する手段と、
上記作成したＷｅｂページを上記閲覧者の端末に送信する手段と、
を有してなることを特徴とする情報配信装置。
【請求項６】
閲覧者の端末とは異なる別の端末と通信ネットワークを介して接続し、
閲覧者の端末に送信したＷｅｂページの閲覧状況を示す情報を、この閲覧者の端末から受信する手段と、
上記受信した閲覧状況を示す情報を、読み出したレイアウト情報と、読み出した編集規則と、関連付けて記憶する記憶部と、
上記記憶部に関連付けて記憶されているレイアウト情報と編集規則と閲覧状況を示す情報とを、上記別の端末に送信する手段と、
をさらに備えた請求項５記載の情報配信装置。
【請求項７】
コンピュータを、請求項１乃至６のいずれかに記載の情報配信装置として機能させることを特徴とする情報配信プログラム。
【請求項８】
閲覧者の端末と通信ネットワークを介して接続し、
コンテンツが記憶されている第１記憶部と、
コンテンツの編集規則が時間と関連付けて記憶されている第２記憶部と、
を備えたコンピュータにより実行される方法であって、
上記コンピュータが、コンテンツを特定するコンテンツＩＤを上記閲覧者の端末に送信するステップと、
上記コンピュータが、上記コンテンツＩＤを含むコンテンツの送信要求を上記閲覧者の端末から受信するステップと、
上記コンピュータが、上記コンテンツＩＤの送信時刻から送信要求の受信時刻までの時間を計測するステップと、
上記コンピュータが、上記コンテンツＩＤに対応するコンテンツを上記第１記憶部から読み出すステップと、
上記コンピュータが、上記計測した時間に応じた編集規則を上記第２記憶部から読み出すステップと、
上記コンピュータが、上記読み出した編集規則に基づいて、上記読み出したコンテンツを編集するステップと、
上記コンピュータが、上記編集したコンテンツを上記閲覧者の端末に送信するステップと、
を有してなることを特徴とする情報配信方法。
【請求項９】
閲覧者の端末と通信ネットワークを介して接続し、
コンテンツが記憶されている第１記憶部と、
Ｗｅｂページ上のコンテンツの配置場所を示すレイアウト情報が時間と関連付けて記憶されている第２記憶部と、
を備えたコンピュータが、コンテンツから構成されたＷｅｂページを上記閲覧者の端末に送信する方法であって、
上記コンピュータが、コンテンツを特定するコンテンツＩＤを上記閲覧者の端末に送信するステップと、
上記コンピュータが、上記コンテンツＩＤを含むＷｅｂページの送信要求を上記閲覧者の端末から受信するステップと、
上記コンピュータが、上記コンテンツＩＤに対応するコンテンツを上記第１記憶部から読み出すステップと、
上記コンピュータが、上記コンテンツＩＤの送信時刻から上記Ｗｅｂページの送信要求の受信時刻までの時間を計測するステップと、
上記コンピュータが、上記計測した時間に応じたレイアウト情報を上記第２記憶部から読み出すステップと、
上記コンピュータが、上記読み出したレイアウト情報に基づいて上記読み出したコンテンツを配置してＷｅｂページを作成するステップと、
上記コンピュータが、上記作成したＷｅｂページを上記閲覧者の端末に送信するステップと、
を有してなることを特徴とする情報配信方法。
【請求項１０】
閲覧者の端末と通信ネットワークを介して接続し、
コンテンツが記憶されている第１記憶部と、
Ｗｅｂページ上のコンテンツの配置場所を示すレイアウト情報が時間と関連付けて記憶されている第２記憶部と、
コンテンツの編集規則が記憶されている第３記憶部と、
を備えたコンピュータが、コンテンツから構成されたＷｅｂページを上記閲覧者の端末に送信する方法であって、
上記コンピュータが、コンテンツを特定するコンテンツＩＤを上記閲覧者の端末に送信するステップと、
上記コンピュータが、コンテンツＩＤを含むＷｅｂページの送信要求を上記閲覧者の端末から受信するステップと、
上記コンピュータが、上記受信したコンテンツＩＤに対応するコンテンツを上記第１記憶部から読み出すステップと、
上記コンピュータが、上記コンテンツＩＤの送信時刻から上記Ｗｅｂページの送信要求の受信時刻までの時間を計測するステップと、
上記コンピュータが、上記計測した時間に応じたレイアウト情報を上記第２記憶部から読み出すステップと、
上記コンピュータが、上記計測した時間に応じた編集規則を上記第３記憶部から読み出すステップと、
上記コンピュータが、上記読み出した編集規則に基づいて上記読み出したコンテンツを編集するステップと、
上記コンピュータが、上記読み出したレイアウト情報に基づいて上記編集したコンテンツを配置してＷｅｂページを作成するステップと、
上記コンピュータが、上記作成したＷｅｂページを上記閲覧者の端末に送信するステップと、
を有してなることを特徴とする情報配信方法。
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
閲覧者の端末と通信ネットワークを介して接続した装置であって、
コンテンツが記憶されている第１記憶部と、
コンテンツの編集規則が時間と関連付けて記憶されている第２記憶部と、
コンテンツを特定するコンテンツＩＤを上記閲覧者の端末に送信する手段と、
上記コンテンツＩＤを上記閲覧者の端末に送信した際に、コンテンツＩＤの送信日時を特定して記憶する手段と、
上記コンテンツＩＤを含むコンテンツの送信要求を上記閲覧者の端末から受信する手段と、
上記受信したコンテンツの送信要求に含まれるコンテンツＩＤに対応するコンテンツを上記第１記憶部から読み出す手段と、
上記コンテンツの送信要求を受信したときに、このコンテンツの送信要求の受信日時を特定し、上記記憶したコンテンツＩＤの送信日時から上記特定したコンテンツの送信要求の受信日時までの経過時間を特定する手段と、
上記特定した経過時間に応じた編集規則を上記第２記憶部から読み出す手段と、
上記読み出した編集規則に基づいて、上記読み出したコンテンツを編集する手段と、
上記編集したコンテンツを上記閲覧者の端末に送信する手段と、
を有してなることを特徴とする情報配信装置。
【請求項２】
閲覧者の端末とは異なる別の端末と通信ネットワークを介して接続し、
上記閲覧者の端末に送信した編集したコンテンツの閲覧状況を示す情報を、この閲覧者の端末から受信する手段と、
上記受信した閲覧状況を示す情報を、読み出した編集規則と関連付けて記憶する記憶部と、
上記記憶部に関連付けて記憶されている編集規則と閲覧状況を示す情報とを、上記別の端末に送信する手段と、
をさらに備えた請求項１記載の情報配信装置。
【請求項３】
閲覧者の端末と通信ネットワークを介して接続し、コンテンツから構成されたＷｅｂページをこの閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツを特定するコンテンツＩＤを上記閲覧者の端末に送信する手段と、
上記コンテンツＩＤを上記閲覧者の端末に送信した際に、コンテンツＩＤの送信日時を特定して記憶する手段と、
上記コンテンツＩＤを含むＷｅｂページの送信要求を上記閲覧者の端末から受信する手段と、
上記受信したＷｅｂページの送信要求に含まれるコンテンツＩＤに対応するコンテンツを上記第１記憶部から読み出す手段と、
上記Ｗｅｂページの送信要求を受信したときに、このＷｅｂページの送信要求の受信日時を特定し、上記記憶したコンテンツＩＤの送信日時から上記特定したＷｅｂページの送信要求の受信日時までの経過時間を特定する手段と、
上記特定した経過時間に応じたレイアウト情報を上記第２記憶部から読み出す手段と、
上記読み出したレイアウト情報に基づいて上記読み出したコンテンツを配置してＷｅｂページを作成する手段と、
上記作成したＷｅｂページを上記閲覧者の端末に送信する手段と、
を有してなることを特徴とする情報配信装置。
【請求項４】
閲覧者の端末とは異なる別の端末と通信ネットワークを介して接続し、
上記閲覧者の端末に送信したＷｅｂページの閲覧状況を示す情報を、この閲覧者の端末から受信する手段と、
上記受信した閲覧状況を示す情報を、読み出したレイアウト情報と関連付けて記憶する記憶部と、
上記記憶部に関連付けて記憶されているレイアウト情報と閲覧状況を示す情報とを、上記別の端末に送信する手段と、
をさらに備えた請求項３記載の情報配信装置。
【請求項５】
閲覧者の端末と通信ネットワークを介して接続し、コンテンツから構成されたＷｅｂページをこの閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツの編集規則が記憶されている第３記憶部と、
コンテンツを特定するコンテンツＩＤを上記閲覧者の端末に送信する手段と、
上記コンテンツＩＤを上記閲覧者の端末に送信した際に、コンテンツＩＤの送信日時を特定して記憶する手段と、
コンテンツＩＤを含むＷｅｂページの送信要求を上記閲覧者の端末から受信する手段と、
上記受信したＷｅｂページの送信要求に含まれるコンテンツＩＤに対応するコンテンツを上記第１記憶部から読み出す手段と、
上記Ｗｅｂページの送信要求を受信したときに、このＷｅｂページの送信要求の受信日時を特定し、上記記憶したコンテンツＩＤの送信日時から上記特定したＷｅｂページの送信要求の受信日時までの経過時間を特定する手段と、
上記特定した経過時間に応じたレイアウト情報を上記第２記憶部から読み出す手段と、
上記特定した経過時間に応じた編集規則を上記第３記憶部から読み出す手段と、
上記読み出した編集規則に基づいて上記読み出したコンテンツを編集する手段と、
上記読み出したレイアウト情報に基づいて上記編集したコンテンツを配置してＷｅｂページを作成する手段と、
上記作成したＷｅｂページを上記閲覧者の端末に送信する手段と、
を有してなることを特徴とする情報配信装置。
【請求項６】
閲覧者の端末とは異なる別の端末と通信ネットワークを介して接続し、
閲覧者の端末に送信したＷｅｂページの閲覧状況を示す情報を、この閲覧者の端末から受信する手段と、
上記受信した閲覧状況を示す情報を、読み出したレイアウト情報と、読み出した編集規則と、関連付けて記憶する記憶部と、
上記記憶部に関連付けて記憶されているレイアウト情報と編集規則と閲覧状況を示す情報とを、上記別の端末に送信する手段と、
をさらに備えた請求項５記載の情報配信装置。
【請求項７】
コンピュータを、請求項１乃至６のいずれかに記載の情報配信装置として機能させることを特徴とする情報配信プログラム。
【請求項８】
閲覧者の端末と通信ネットワークを介して接続し、
コンテンツが記憶されている第１記憶部と、
コンテンツの編集規則が時間と関連付けて記憶されている第２記憶部と、
を備えたコンピュータにより実行される方法であって、
上記コンピュータが、コンテンツを特定するコンテンツＩＤを上記閲覧者の端末に送信するステップと、
上記コンピュータが、コンテンツＩＤを上記閲覧者の端末に送信した際に、コンテンツＩＤの送信日時を特定して記憶するステップと、
上記コンピュータが、上記コンテンツＩＤを含むコンテンツの送信要求を上記閲覧者の端末から受信するステップと、
上記コンピュータが、上記受信したコンテンツの送信要求に含まれるコンテンツＩＤに対応するコンテンツを上記第１記憶部から読み出すステップと、
上記コンピュータが、上記コンテンツの送信要求を受信したときに、このコンテンツの送信要求の受信日時を特定し、上記記憶したコンテンツＩＤの送信日時から上記特定したコンテンツの送信要求の受信日時までの経過時間を特定するステップと、
上記コンピュータが、上記特定した経過時間に応じた編集規則を上記第２記憶部から読み出すステップと、
上記コンピュータが、上記読み出した編集規則に基づいて、上記読み出したコンテンツを編集するステップと、
上記コンピュータが、上記編集したコンテンツを上記閲覧者の端末に送信するステップと、
を有してなることを特徴とする情報配信方法。
【請求項９】
閲覧者の端末と通信ネットワークを介して接続し、
コンテンツが記憶されている第１記憶部と、
Ｗｅｂページ上のコンテンツの配置場所を示すレイアウト情報が時間と関連付けて記憶されている第２記憶部と、
を備えたコンピュータが、コンテンツから構成されたＷｅｂページを上記閲覧者の端末に送信する方法であって、
上記コンピュータが、コンテンツを特定するコンテンツＩＤを上記閲覧者の端末に送信するステップと、
上記コンピュータが、コンテンツＩＤを上記閲覧者の端末に送信した際に、コンテンツＩＤの送信日時を特定して記憶するステップと、
上記コンピュータが、上記コンテンツＩＤを含むＷｅｂページの送信要求を上記閲覧者の端末から受信するステップと、
上記コンピュータが、上記受信したＷｅｂページの送信要求に含まれるコンテンツＩＤに対応するコンテンツを上記第１記憶部から読み出すステップと、
上記コンピュータが、上記Ｗｅｂページの送信要求を受信したときに、このＷｅｂページの送信要求の受信日時を特定し、上記記憶したコンテンツＩＤの送信日時から上記特定したＷｅｂページの送信要求の受信日時までの経過時間を特定するステップと、
上記コンピュータが、上記特定した経過時間に応じたレイアウト情報を上記第２記憶部から読み出すステップと、
上記コンピュータが、上記読み出したレイアウト情報に基づいて上記読み出したコンテンツを配置してＷｅｂページを作成するステップと、
上記コンピュータが、上記作成したＷｅｂページを上記閲覧者の端末に送信するステップと、
を有してなることを特徴とする情報配信方法。
【請求項１０】
閲覧者の端末と通信ネットワークを介して接続し、
コンテンツが記憶されている第１記憶部と、
Ｗｅｂページ上のコンテンツの配置場所を示すレイアウト情報が時間と関連付けて記憶されている第２記憶部と、
コンテンツの編集規則が記憶されている第３記憶部と、
を備えたコンピュータが、コンテンツから構成されたＷｅｂページを上記閲覧者の端末に送信する方法であって、
上記コンピュータが、コンテンツを特定するコンテンツＩＤを上記閲覧者の端末に送信するステップと、
上記コンピュータが、コンテンツＩＤを上記閲覧者の端末に送信した際に、コンテンツＩＤの送信日時を特定して記憶するステップと、
上記コンピュータが、コンテンツＩＤを含むＷｅｂページの送信要求を上記閲覧者の端末から受信するステップと、
上記コンピュータが、上記受信したＷｅｂページの送信要求に含まれるコンテンツＩＤに対応するコンテンツを上記第１記憶部から読み出すステップと、
上記コンピュータが、上記コンテンツの送信要求を受信したときに、このコンテンツの送信要求の受信日時を特定し、上記記憶したコンテンツＩＤの送信日時から上記特定したコンテンツの送信要求の受信日時までの経過時間を特定するステップと、
上記コンピュータが、上記特定した経過時間に応じたレイアウト情報を上記第２記憶部から読み出すステップと、
上記コンピュータが、上記特定した経過時間に応じた編集規則を上記第３記憶部から読み出すステップと、
上記コンピュータが、上記読み出した編集規則に基づいて上記読み出したコンテンツを編集するステップと、
上記コンピュータが、上記読み出したレイアウト情報に基づいて上記編集したコンテンツを配置してＷｅｂページを作成するステップと、
上記コンピュータが、上記作成したＷｅｂページを上記閲覧者の端末に送信するステップと、
を有してなることを特徴とする情報配信方法。
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
閲覧者の端末と通信ネットワークを介して接続した装置であって、
コンテンツが記憶されている第１記憶部と、
コンテンツの編集規則が時間と関連付けて記憶されている第２記憶部と、
コンテンツを特定するコンテンツＩＤを上記閲覧者の端末に送信する手段と、
上記コンテンツＩＤを上記閲覧者の端末に送信した際に、コンテンツＩＤの送信日時を特定して記憶する手段と、
上記コンテンツＩＤを含むコンテンツの送信要求を上記閲覧者の端末から受信する手段と、
上記受信したコンテンツの送信要求に含まれるコンテンツＩＤに対応するコンテンツを上記第１記憶部から読み出す手段と、
上記コンテンツの送信要求を受信したときに、このコンテンツの送信要求の受信日時を特定し、上記記憶したコンテンツＩＤの送信日時から上記特定したコンテンツの送信要求の受信日時までの経過時間を特定する手段と、
上記特定した経過時間に応じた編集規則を上記第２記憶部から読み出す手段と、
上記読み出した編集規則に基づいて、上記読み出したコンテンツを編集する手段と、
上記編集したコンテンツを上記閲覧者の端末に送信する手段と、
を有してなることを特徴とする情報配信装置。
【請求項２】
閲覧者の端末と通信ネットワークを介して接続し、コンテンツから構成されたＷｅｂページをこの閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツを特定するコンテンツＩＤを上記閲覧者の端末に送信する手段と、
上記コンテンツＩＤを上記閲覧者の端末に送信した際に、コンテンツＩＤの送信日時を特定して記憶する手段と、
上記コンテンツＩＤを含むＷｅｂページの送信要求を上記閲覧者の端末から受信する手段と、
上記受信したＷｅｂページの送信要求に含まれるコンテンツＩＤに対応するコンテンツを上記第１記憶部から読み出す手段と、
上記Ｗｅｂページの送信要求を受信したときに、このＷｅｂページの送信要求の受信日時を特定し、上記記憶したコンテンツＩＤの送信日時から上記特定したＷｅｂページの送信要求の受信日時までの経過時間を特定する手段と、
上記特定した経過時間に応じたレイアウト情報を上記第２記憶部から読み出す手段と、
上記読み出したレイアウト情報に基づいて上記読み出したコンテンツを配置してＷｅｂページを作成する手段と、
上記作成したＷｅｂページを上記閲覧者の端末に送信する手段と、
を有してなることを特徴とする情報配信装置。
【請求項３】
閲覧者の端末と通信ネットワークを介して接続し、コンテンツから構成されたＷｅｂページをこの閲覧者の端末に送信する装置であって、
コンテンツが記憶されている第１記憶部と、
Ｗｅｂページ上のコンテンツの配置場所を示すレイアウト情報が時間と関連付けて記憶されている第２記憶部と、
コンテンツの編集規則が記憶されている第３記憶部と、
コンテンツを特定するコンテンツＩＤを上記閲覧者の端末に送信する手段と、
上記コンテンツＩＤを上記閲覧者の端末に送信した際に、コンテンツＩＤの送信日時を特定して記憶する手段と、
コンテンツＩＤを含むＷｅｂページの送信要求を上記閲覧者の端末から受信する手段と、
上記受信したＷｅｂページの送信要求に含まれるコンテンツＩＤに対応するコンテンツを上記第１記憶部から読み出す手段と、
上記Ｗｅｂページの送信要求を受信したときに、このＷｅｂページの送信要求の受信日時を特定し、上記記憶したコンテンツＩＤの送信日時から上記特定したＷｅｂページの送信要求の受信日時までの経過時間を特定する手段と、
上記特定した経過時間に応じたレイアウト情報を上記第２記憶部から読み出す手段と、
上記特定した経過時間に応じた編集規則を上記第３記憶部から読み出す手段と、
上記読み出した編集規則に基づいて上記読み出したコンテンツを編集する手段と、
上記読み出したレイアウト情報に基づいて上記編集したコンテンツを配置してＷｅｂページを作成する手段と、
上記作成したＷｅｂページを上記閲覧者の端末に送信する手段と、
を有してなることを特徴とする情報配信装置。
【請求項４】
コンピュータを、請求項１乃至３のいずれかに記載の情報配信装置として機能させることを特徴とする情報配信プログラム。
【請求項５】
閲覧者の端末と通信ネットワークを介して接続し、
コンテンツが記憶されている第１記憶部と、
コンテンツの編集規則が時間と関連付けて記憶されている第２記憶部と、
を備えたコンピュータにより実行される方法であって、
上記コンピュータが、コンテンツを特定するコンテンツＩＤを上記閲覧者の端末に送信するステップと、
上記コンピュータが、コンテンツＩＤを上記閲覧者の端末に送信した際に、コンテンツＩＤの送信日時を特定して記憶するステップと、
上記コンピュータが、上記コンテンツＩＤを含むコンテンツの送信要求を上記閲覧者の端末から受信するステップと、
上記コンピュータが、上記受信したコンテンツの送信要求に含まれるコンテンツＩＤに対応するコンテンツを上記第１記憶部から読み出すステップと、
上記コンピュータが、上記コンテンツの送信要求を受信したときに、このコンテンツの送信要求の受信日時を特定し、上記記憶したコンテンツＩＤの送信日時から上記特定したコンテンツの送信要求の受信日時までの経過時間を特定するステップと、
上記コンピュータが、上記特定した経過時間に応じた編集規則を上記第２記憶部から読み出すステップと、
上記コンピュータが、上記読み出した編集規則に基づいて、上記読み出したコンテンツを編集するステップと、
上記コンピュータが、上記編集したコンテンツを上記閲覧者の端末に送信するステップと、
を有してなることを特徴とする情報配信方法。
【請求項６】
閲覧者の端末と通信ネットワークを介して接続し、
コンテンツが記憶されている第１記憶部と、
Ｗｅｂページ上のコンテンツの配置場所を示すレイアウト情報が時間と関連付けて記憶されている第２記憶部と、
を備えたコンピュータが、コンテンツから構成されたＷｅｂページを上記閲覧者の端末に送信する方法であって、
上記コンピュータが、コンテンツを特定するコンテンツＩＤを上記閲覧者の端末に送信するステップと、
上記コンピュータが、コンテンツＩＤを上記閲覧者の端末に送信した際に、コンテンツＩＤの送信日時を特定して記憶するステップと、
上記コンピュータが、上記コンテンツＩＤを含むＷｅｂページの送信要求を上記閲覧者の端末から受信するステップと、
上記コンピュータが、上記受信したＷｅｂページの送信要求に含まれるコンテンツＩＤに対応するコンテンツを上記第１記憶部から読み出すステップと、
上記コンピュータが、上記Ｗｅｂページの送信要求を受信したときに、このＷｅｂページの送信要求の受信日時を特定し、上記記憶したコンテンツＩＤの送信日時から上記特定したＷｅｂページの送信要求の受信日時までの経過時間を特定するステップと、
上記コンピュータが、上記特定した経過時間に応じたレイアウト情報を上記第２記憶部から読み出すステップと、
上記コンピュータが、上記読み出したレイアウト情報に基づいて上記読み出したコンテンツを配置してＷｅｂページを作成するステップと、
上記コンピュータが、上記作成したＷｅｂページを上記閲覧者の端末に送信するステップと、
を有してなることを特徴とする情報配信方法。
【請求項７】
閲覧者の端末と通信ネットワークを介して接続し、
コンテンツが記憶されている第１記憶部と、
Ｗｅｂページ上のコンテンツの配置場所を示すレイアウト情報が時間と関連付けて記憶されている第２記憶部と、
コンテンツの編集規則が記憶されている第３記憶部と、
を備えたコンピュータが、コンテンツから構成されたＷｅｂページを上記閲覧者の端末に送信する方法であって、
上記コンピュータが、コンテンツを特定するコンテンツＩＤを上記閲覧者の端末に送信するステップと、
上記コンピュータが、コンテンツＩＤを上記閲覧者の端末に送信した際に、コンテンツＩＤの送信日時を特定して記憶するステップと、
上記コンピュータが、コンテンツＩＤを含むＷｅｂページの送信要求を上記閲覧者の端末から受信するステップと、
上記コンピュータが、上記受信したＷｅｂページの送信要求に含まれるコンテンツＩＤに対応するコンテンツを上記第１記憶部から読み出すステップと、
上記コンピュータが、上記コンテンツの送信要求を受信したときに、このコンテンツの送信要求の受信日時を特定し、上記記憶したコンテンツＩＤの送信日時から上記特定したコンテンツの送信要求の受信日時までの経過時間を特定するステップと、
上記コンピュータが、上記特定した経過時間に応じたレイアウト情報を上記第２記憶部から読み出すステップと、
上記コンピュータが、上記特定した経過時間に応じた編集規則を上記第３記憶部から読み出すステップと、
上記コンピュータが、上記読み出した編集規則に基づいて上記読み出したコンテンツを編集するステップと、
上記コンピュータが、上記読み出したレイアウト情報に基づいて上記編集したコンテンツを配置してＷｅｂページを作成するステップと、
上記コンピュータが、上記作成したＷｅｂページを上記閲覧者の端末に送信するステップと、
を有してなることを特徴とする情報配信方法。